(57)【要約】      （修正有）【課題】蓄電池のバッテリー液の注入および／または補充作業の効率化のために、液口栓の着脱作業に便利な蓄電池用端子キャップを提供する。【解決手段】蓄電池用端子キャップの頂面部に、蓄電池の液口栓に設けられているコイン溝に嵌合する突起を形成した。【選択図】図１
0003156330.tif 000002
【実用新案登録請求の範囲】
【請求項１】
頂面部に蓄電池の液口栓の液口栓着脱用溝に嵌合する突起を備えた、蓄電池用端子キャップ。
【考案の詳細な説明】
【技術分野】
【０００１】
本考案は、蓄電池に用いられる端子キャップに関し、特には、蓄電池液口栓着脱用嵌合突起を備えた蓄電池用端子キャップに関するものである。
【背景技術】
【０００２】
蓄電池使用の際、バッテリー液を注入したり、使用過程で減少したバッテリー液を補充したりする必要があり、蓄電池頂面部にはこれらをおこなうための液口栓が設けられており、液口栓を着脱することでバッテリー液の注入や補充がおこなわれる。近年、液口栓の頭部に、液口栓の着脱の便のために、＋（プラス）形状のコイン溝が形成されたものが多くみられ、この溝に嵌合するコインまたはこれに準ずる治具（たとえば、通常のドライバー、または実開平6−６８３００号で開示されている蓄電池液口栓着脱冶具）を使用して、液口栓の着脱がおこなわれている。
【０００３】
また、蓄電池が電池工場で生産されてから、例えば、自動車用蓄電池の場合、自動車の生産工程で組み立て中の自動車に装着されるまでの間に、あるいは、電池工場出荷後の保管庫での、または販売店の店頭などでの保管中に、蓄電池の端子に他の導電体が接触することなどによる放電や短絡を防止すること、端子の腐食を防止すること、および／または蓄電池の端子の正負を識別することなどを主な目的として、蓄電池の端子に端子キャップを取り付けることが多く行われている。このような目的で用いられる端子キャップを安全端子キャップと呼ぶこともある。
【０００４】
さらに、こうした端子キャップの内面に、研磨剤を装着したもののように、保管中に発生した端子表面の腐食を磨きとるための端子表面研磨手段が設けられた端子キャップも提案されている（特開２００７−１０９５７７号公報を参照）。
【先行技術文献】
【特許文献】
【０００５】
【特許文献１】実開平6−６８３００号公報
【特許文献２】特開２００７−１０９５７７号公報
【考案の概要】
【考案が解決しようとする課題】
【０００６】
蓄電池へバッテリー液を注入および／または補充するときには、蓄電池の液口栓を着脱する必要があるが、そのためには、液口栓に設けられた＋形状の溝に嵌合するようなコインまたはこれに準ずる冶具等を前もって用意する必要があり、必ずしも作業性に優れているとは言えないという問題があった。
【０００７】
さらに、従来から、蓄電池の端子に上述のような目的のために用いる安全端子キャップは、蓄電池が使用されるとき、例えば、自動車などに装着されるときに、取り除かれ廃棄物として廃棄され、資源の有効活用という点で問題があった。
【０００８】
そこで、本考案は、蓄電池のバッテリー液の注入および／または補充の作業の効率化のために、液口栓を着脱する作業に便利な冶具が手軽に入手できること、および資源の有効活用の観点から、廃棄物とならない蓄電池用端子キャップを提供することを目的とする。
【課題を解決するための手段】
【０００９】
本考案は、上記のような課題を解決するために、従来知られていた蓄電池用端子のキャップの頂面部に、液口栓に設けられているコイン溝に嵌合する突起を形成したことを特徴とする。
【考案の効果】
【００１０】
本考案の蓄電池液口栓着脱用嵌合突起を備えた蓄電池用端子キャップは、従来と同じように、蓄電池保管中の安全確保の目的で、蓄電池の端子キャップとして用いることができるだけでなく、蓄電池使用のためにその端子に配線が行われるときに、この端子キャップは取り外されるが、廃棄されることなく工具箱などの中にその後の使用のために保管され、蓄電池の液口栓の着脱の作業において、この端子キャップに設けられた勘合突起を用いて液口栓を着脱する冶具として用いることができる。このため、コインやそれに準ずる治具を前もって用意しておく必要がなく、作業の時間短縮など、作業の効率化に繋がる。
【００１１】
従来の端子キャップは、蓄電池使用のためにその端子に配線が行われるときに、取り外され、廃棄物として廃棄されていたが、本考案の蓄電池用端子キャップは、取り外された後保管され、何度も液口栓着脱用の冶具として使用できるため、廃棄物として廃棄されず、資源の有効利用が促進される。
【００１２】
さらには、従来一般的とは言えなかった液口栓の着脱を容易にする治具が、蓄電池に安全端子キャップとして付属していることにより、液口栓の着脱のための冶具が電池取扱作業者の身近に存在することとなる。そのことにより液口栓の着脱作業に対する負担感が減り、その容易さ故にバッテリー液を補充する頻度や回数が増え、蓄電池に起因する故障等の減少が見込めるであろう。
【００１３】
これらの本考案による効果は、従来知られていた蓄電池用端子キャップの頂面部に、液口栓に設けられているコイン溝に嵌合する突起を備えるという着想により達成されたものであり、本考案により得られる経済的効果、および実用的価値は大きい。
【図面の簡単な説明】
【００１４】
【図１】本考案の蓄電池用端子キャップの斜視図である。
【図２】本考案の蓄電池用端子キャップを蓄電池の安全端子キャップとして使用するときの概念図である。
【考案を実施するための形態】
【００１５】
添付図１〜２を参照して説明する。
本考案の蓄電池用端子キャップ１は、従来知られていた蓄電池の端子４に使用されている蓄電池用端子キャップの頂面部に、蓄電池３の液口栓５に設けられているコイン溝６に嵌合する突起２を形成したことが特徴であるが、その頂面部に形成された突起が、液口栓５に設けられているコイン溝６に嵌合することを利用して、蓄電池の液口栓を着脱するときの治具として使用する。（図２参照）
【００１６】
本考案の蓄電池用端子キャップの頂面部に形成される突起２は、蓄電池の液口栓５の＋形状のコイン溝６に嵌合し、液口栓着脱の操作を実行し得るものであればよく、材質、大きさ、高さ、幅、形状などに制限はない。本明細書では、液口栓のコイン溝を＋形状であるとして説明したが、これに限るわけではなく、単に−（マイナス）形状であってもよい。
【００１７】
本考案の蓄電池用端子キャップは、蓄電池の短絡を防止するための安全端子キャップの機能も備えるために、絶縁性の材料で形成されることが望ましい。そのための材料として、代表的には、ポリエチレン、ポリプロピレン、塩化ビニル、アクリル樹脂、ポリカーボネート、ポリスチレン、ナイロンなどのプラスチックがあげられるが、これらに限るものではない。
【００１８】
本考案の蓄電池用端子キャップは、従来の端子キャップと同様に、樹脂を用いて押し出し成形法などで形成し得るが、その製法はこれに限るものではない。
【００１９】
また、キャップの形状としては、端子の形状に合致したもの、例えば、円筒状、円錐台状であることが望ましいが、これに限るものではない。また、端子キャップを取り外すときの便宜のために、翼あるいはすじなどを備えてもよい。
【００２０】
さらに、本考案の蓄電池用端子キャップの内面に、特開２００７−１０９５７７号公報で開示されているような、端子表面研磨手段となる材料を備えることも可能であるが、これに限られるわけではない。
【産業上の利用可能性】
【００２１】
本考案の蓄電池用端子キャップは、蓄電池の安全端子キャップとして使用でき、蓄電池のバッテリー液の注入および／または補充作業において、蓄電池の液口栓の着脱作業用の冶具として使用できる。
【符号の説明】
【００２２】
１    端子キャップ
２    突起
３    蓄電池
４    端子
５    液口栓
６    コイン溝
【図１】
0003156330.tif 000003
【図２】
0003156330.tif 000004